(57)【要約】【課題】  無線ＬＡＮ電話機を共通端末として使用可能にするとともに、電話番号や電話帳データ等の各種データをユーザ毎に使い分けられるようにすることにより、無線電話端末の設置コストの削減およびサービスの向上を図った無線電話システムを提供する。【解決手段】  ＩＰ−ＰＢＸ１と、ＩＰ−ＰＢＸ１に無線接続される無線ＬＡＮ電話機５と、ＩＰ−ＰＢＸ１にＬＡＮ接続されるＰＣ４−１〜４−ｎとを備え、所定のＰＣからＩＰ−ＰＢＸ１に対してユーザ固有ＩＤを用いて端末登録することにより無線ＬＡＮ電話機５をユーザ毎に設定した電話番号（例えば内線番号「１０００」）で運用する無線電話システムでは、端末登録時のユーザ固有ＩＤに対応するＰＣ４−１に格納されている個人電話帳１１の電話帳データを参照して、電話発信および発信者番号表示の少なくとも一方を行う。【選択図】図１
2006060480.tif 000002
【特許請求の範囲】
【請求項１】
ＩＰ構内交換機と、該ＩＰ構内交換機に無線接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、
端末登録時のユーザ固有ＩＤに対応するパーソナルコンピュータに格納されている電話帳データを参照して、電話発信および発信者番号表示の少なくとも一方を行うことを特徴とする無線電話システム。
【請求項２】
ＩＰ構内交換機と、該ＩＰ構内交換機に無線接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、
端末登録時のユーザ固有ＩＤに対応するパーソナルコンピュータに格納されている電話帳データを前記無線ＬＡＮ電話機にダウンロードして、電話発信および発信者番号表示の少なくとも一方を行うことを特徴とする無線電話システム。
【請求項３】
ＩＰ構内交換機と、該ＩＰ構内交換機に無線接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、
通話時の録音指令に応じて、端末登録時のユーザ固有ＩＤに対応するパーソナルコンピュータに通話録音データを保存することを特徴とする無線電話システム。
【請求項４】
ＩＰ構内交換機と、該ＩＰ構内交換機に無線接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、
留守番電話設定中の前記無線ＬＡＮ電話機への着信時に、端末登録時のユーザ固有ＩＤに対応するパーソナルコンピュータに留守番録音データを保存することを特徴とする無線電話システム。
【発明の詳細な説明】
【技術分野】
【０００１】
本発明は、ＩＰ構内交換機と、該ＩＰ構内交換機に無線接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムにおいて、新たなサービスを提供するようにした無線電話システムに関するものである。
【背景技術】
【０００２】
無線電話システムの従来例としては、ＩＰ構内交換機と、該ＩＰ構内交換機に無線接続される無線ＬＡＮ電話機と、前記ＩＰ構内交換機にＬＡＮ接続される複数のパーソナルコンピュータ（クライアント）とを備え、所定のクライアントから前記ＩＰ構内交換機に対してユーザ固有ＩＤ等を用いて端末登録して前記無線ＬＡＮ電話機とクライアントを連携させて運用する無線電話システム（例えば特許文献１参照）および、ＩＰ構内交換機と、該ＩＰ構内交換機に無線接続される共用携帯電話機と、前記ＩＰ構内交換機にＬＡＮ接続される複数のパーソナルコンピュータ（クライアント）とを備え、所定のクライアントから前記ＩＰ構内交換機に対してユーザ固有ＩＤ等を用いて端末登録して前記共用携帯電話機を運用する無線電話システム（例えば特許文献２参照）がある。
【０００３】
特許文献１記載の従来例（以下、従来例１という）では、１台の無線ＬＡＮ電話機を共通端末として使用する際に、ユーザと１対１で対応するように設けられたクライアントのそれぞれに関連付けて保存（登録）されている電話帳データをその無線ＬＡＮ電話機で利用可能であるが、共通端末として使用する無線ＬＡＮ電話機の電話番号は１つの電話番号に固定されており、ユーザ毎に設定された異なる電話番号（例えば内線番号）を割り当てるといった使い方はできない。
特許文献２記載の従来例（以下、従来例２という）では、１台の共用携帯電話機を共通端末として使用する際に、ユーザ毎に電話帳を使い分けることができるが、共通端末として使用する共用携帯電話機の電話番号は１つの電話番号に固定されており、ユーザ毎に設定された異なる電話番号（例えば内線番号）を割り当てるといった使い方はできない。
【０００４】
【特許文献１】特開平１０−４２０５０号公報
【特許文献２】特開２００２−１１１８４５号公報
【発明の開示】
【発明が解決しようとする課題】
【０００５】
上記従来例１、従来例２の無線電話システムは、無線ＬＡＮ電話機や共用携帯電話機の電話番号が１つの電話番号に固定されているため、「固有の電話番号を有する無線電話端末をユーザ毎に割り当てて専用端末として使用する運用形態」には適しているが、「端末登録時（ログイン時）に、ユーザ毎に設定された異なる電話番号（例えば内線番号）を割り当てることにより、共通端末を特定のユーザの専用端末として使用する運用形態」を取ることは困難である。したがって、上記従来例１、従来例２の無線電話システムでは、ユーザ毎に固有の電話番号を有する専用端末を設置することになるので、出張者等の不在者が多い事業所に適用する場合には、無線電話端末の利用効率が悪くなるとともに、無線電話端末の設置コストが不必要に増加してしまう。
また、上記従来例１、従来例２の無線電話システムでは、無線電話端末の電話帳データは端末登録に使用したクライアントに関連付けて保存（登録）され、無線電話端末の通話録音データや留守番録音データは当該無線電話端末自体に保存（録音）されるので、上記各種データは固定された１つの電話番号に関連付けられることになる。したがって、１台の無線電話端末を複数のユーザが共用する運用形態を取った場合には、ユーザが変わる度にデータの書き換えやデータの転送が必要になるので、その点でも、「共通端末を特定のユーザの専用端末として使用する運用形態」を取ることは困難である。
【０００６】
本発明は、無線ＬＡＮ電話機を共通端末として使用し得るようするとともに、電話番号や電話帳データ等の各種データをユーザ毎に使い分けられるようにすることにより、無線電話端末の設置コストの削減およびサービスの向上を図るようにした無線電話システムを提供することを目的とする。
【課題を解決するための手段】
【０００７】
上記目的を達成するため、請求項１に記載の第１発明は、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、端末登録時のユーザ固有ＩＤに対応するパーソナルコンピュータに格納されている電話帳データを参照して、電話発信および発信者番号表示の少なくとも一方を行うことを特徴とする。
【０００８】
上記目的を達成するため、請求項２に記載の第２発明は、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、端末登録時のユーザ固有ＩＤに対応するパーソナルコンピュータに格納されている電話帳データを前記無線ＬＡＮ電話機にダウンロードして、電話発信および発信者番号表示の少なくとも一方を行うことを特徴とする。
【０００９】
上記目的を達成するため、請求項３に記載の第３発明は、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、通話時の録音指令に応じて、端末登録時のユーザ固有ＩＤに対応するパーソナルコンピュータに通話録音データを保存することを特徴とする。
【００１０】
上記目的を達成するため、請求項４に記載の第４発明は、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムであって、留守番電話設定中の前記無線ＬＡＮ電話機への着信時に、端末登録時のユーザ固有ＩＤに対応するパーソナルコンピュータに留守番録音データを保存することを特徴とする。
【発明の効果】
【００１１】
第１発明によれば、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムでは、端末登録時のユーザ固有ＩＤに対応するパーソナルコンピュータに格納されている電話帳データを参照して、電話発信および発信者番号表示の少なくとも一方を行うから、無線ＬＡＮ電話機を共通端末として使用し得るようになるとともに、無線ＬＡＮ電話機において電話番号や電話帳データをユーザ毎に使い分けられるようになる。したがって、無線電話システムにおいて、無線電話端末の設置コストの削減およびサービスの向上を図ることができる。
【００１２】
第２発明によれば、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムでは、端末登録時のユーザ固有ＩＤに対応するパーソナルコンピュータに格納されている電話帳データを前記無線ＬＡＮ電話機にダウンロードして、電話発信および発信者番号表示の少なくとも一方を行うから、無線ＬＡＮ電話機を共通端末として使用し得るようになるとともに、無線ＬＡＮ電話機において電話番号や電話帳データをユーザ毎に使い分けられるようになる。したがって、無線電話システムにおいて、無線電話端末の設置コストの削減およびサービスの向上を図ることができる。
【００１３】
第３発明によれば、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムでは、通話時の録音指令に応じて、端末登録時のユーザ固有ＩＤに対応するパーソナルコンピュータに通話録音データを保存するから、無線ＬＡＮ電話機を共通端末として使用し得るようになるとともに、無線ＬＡＮ電話機において電話番号や通話録音データをユーザ毎に使い分けられるようになる。したがって、無線電話システムにおいて、無線電話端末の設置コストの削減およびサービスの向上を図ることができる。
【００１４】
第４発明によれば、ＩＰ構内交換機と、該ＩＰ構内交換機に無線ＬＡＮ接続される無線ＬＡＮ電話機と、前記ＩＰ構内交換機にＬＡＮ接続される複数のパーソナルコンピュータとを備え、所定のパーソナルコンピュータから前記ＩＰ構内交換機に対してユーザ固有ＩＤを用いて端末登録することにより前記無線ＬＡＮ電話機をユーザ毎に設定した電話番号で運用する無線電話システムでは、留守番電話設定中の前記無線ＬＡＮ電話機への着信時に、端末登録時のユーザ固有ＩＤに対応するパーソナルコンピュータに留守番録音データを保存するから、無線ＬＡＮ電話機を共通端末として使用し得るようになるとともに、無線ＬＡＮ電話機において電話番号や留守番録音データをユーザ毎に使い分けられるようになる。したがって、無線電話システムにおいて、無線電話端末の設置コストの削減およびサービスの向上を図ることができる。
【発明を実施するための最良の形態】
【００１５】
以下、本発明を実施するための最良の形態を図面に基づき詳細に説明する。
図１は本発明の第１実施形態の無線電話システムの構成を示す図である。本実施形態の無線電話システムは、図１に示すように、ＩＰ構内交換機（以下、ＩＰ−ＰＢＸという）１と、ＩＰ−ＰＢＸ１にＬＡＮ２を介して接続されるアクセスポイント３および複数のパーソナルコンピュータ（以下、ＰＣという）４−１，４−２，・・，４−ｎと、ＩＰ−ＰＢＸ１にアクセスポイント３を介して無線接続される無線ＬＡＮ電話機５と、ＬＡＮ２に接続される相手端末とを具備して成る。なお、以下においては、無線ＬＡＮ電話機５が発信側電話端末であり、相手端末６が着信側電話端末であるものとして説明を展開する。
【００１６】
上記ＩＰ−ＰＢＸ１は、無線ＬＡＮ電話機を制御するために、通常の構内交換機の機能に加えて、ＩＰ（Internet Protocol ）制御に関する各種機能を有するように構成されている。
【００１７】
上記ＰＣ４（４−１，４−２，・・，４−ｎ）は、原則的に、事業所等のオフィスに在籍する全ユーザにそれぞれ１台ずつ設置されているものとし、各ユーザの専用端末となっているものとする。上記ＰＣ４（４−１，４−２，・・，４−ｎ）は、そのＰＣのユーザが、ＩＰ−ＰＢＸ１に対してユーザ固有ＩＤを用いて端末登録することにより無線ＬＡＮ電話機５をユーザ毎に設定した電話番号（この場合、内線番号）で運用する設定を行うものであり、図１に示すように、当該ユーザの個人電話帳データを格納した個人電話帳１１と、当該ユーザの通話録音データを格納するための通話録音ファイル１２と、当該ユーザの留守番録音データを格納するための留守番録音ファイル１３とを具備して成る。
【００１８】
上記無線ＬＡＮ電話機５は、図１に示すように、当該ユーザに割り当てられたＰＣの個人電話帳から参照した個人電話帳データを格納する個人電話帳テーブル１４と、当該ユーザに割り当てられたＰＣの個人電話帳からダウンロードした個人電話帳データを格納する個人電話帳ダウンロードテーブル１５と、無線ＬＡＮ電話機５における通話時の録音指令操作に応じて設定される通話録音指令フラグ１６と、無線ＬＡＮ電話機５の留守番電話設定時に設定される留守番録音指令フラグ１７とを具備して成る。なお、本実施形態では、上記無線ＬＡＮ電話機５を、ＰＣ４の設置台数（ｎ台）よりも少ない台数設置するものとするが、実際の設置台数は、当該事業所等における出勤率（出張率）等を勘案して決定するものとする。また、本実施形態では、上記無線ＬＡＮ電話機５として、「ＩＰ−ＰＢＸ１に無線ＬＡＮ接続して内線電話機として使用する無線ＬＡＮ専用端末」を用いるものとするが、代わりに「無線ＬＡＮ接続および公衆回線接続の双方に対応するデュアルモード対応の無線電話端末」を用いてもよい。
【００１９】
上記相手端末６は、例えば「同一事業所内においてＬＡＮ２を介して接続される固定電話機」や、「同一事業所内においてＬＡＮ２を介してＩＰ−ＰＢＸ１に接続されるアクセスポイント３に無線接続される無線ＬＡＮ電話機」であるものとするが、「ＬＡＮ２（および電話回線等）を介して接続される他の事業所内に設置された固定電話機や無線ＬＡＮ電話機」である場合も有り得る。特に、後者の場合には、事業所の垣根を越えて、無線ＬＡＮ電話機同士での内線通話が可能になるので、利便性が向上するとともに、通話コストの削減にもなる。
【００２０】
次に、本実施形態の無線電話システムにおいて新たに提供される各種サービスについて説明する。なお、以下の説明においては、例えばＰＣ４−１のユーザが、自分に割り当てられた内線番号「１０００」をユーザ固有ＩＤとして使用して、ＩＰ−ＰＢＸ１に対して無線ＬＡＮ電話機５を端末登録（ログイン）することにより、無線ＬＡＮ電話機５が自分の内線番号「１０００」で運用可能な状態になっているものとする。
【００２１】
［個人電話帳参照サービス］
図２は第１実施形態の無線電話システムにおいて実施する第１の個人電話帳参照サービスのプログラムを示すフローチャートであり、このプログラムは、電話発信時に無線ＬＡＮ電話機５の電話帳を開いたときに起動されるものとする。まず、図２のステップＳ１では、端末登録時のユーザ固有ＩＤに対応するパーソナルコンピュータであるＰＣ４−１の個人電話帳１１に格納されている電話帳データを参照する。これにより、ＰＣ４−１の個人電話帳１１に格納されている電話帳データは、無線ＬＡＮ電話機５の個人電話帳テーブル１４内に格納されるので、無線ＬＡＮ電話機５で当該ユーザの個人電話帳が使用可能な状態になる。次のステップＳ２では、上記個人電話帳を使用して、所望の通話相手（例えば図１に示す相手端末６のユーザ）の電話番号を選択して、電話発信を行う。
図３は第１実施形態の無線電話システムにおいて実施する第２の個人電話帳参照サービスのプログラムを示すフローチャートであり、このプログラムは、電話着信時に起動されるものとする。まず、図３のステップＳ１１では、端末登録時のユーザ固有ＩＤに対応するパーソナルコンピュータであるＰＣ４−１の個人電話帳１１に格納されている電話帳データを参照する。これにより、ＰＣ４−１の個人電話帳１１に格納されている電話帳データは、無線ＬＡＮ電話機５の個人電話帳テーブル１４内に格納されるので、無線ＬＡＮ電話機５で当該ユーザの電話帳に記載された各種情報が利用可能な状態になる。次のステップＳ１２では、当該着信の通話相手の発信者番号がＰＣ４−１の個人電話帳１１に登録されている場合には、当該発信者番号を無線ＬＡＮ電話機５で表示する。なお、当該着信の通話相手の発信者番号に加えて、当該着信の通話相手の氏名等がＰＣ４−１の個人電話帳１１に登録されている場合には、それも併せて表示するものとする。
【００２２】
本実施形態の無線電話システムによれば、上記個人電話帳参照サービスを実施することにより、無線ＬＡＮ電話機５を端末登録したユーザの個人電話帳を利用して、電話発信や発信者番号表示を行うことができるので、無線ＬＡＮ電話機５を共通端末として使用し得るようになるとともに、無線ＬＡＮ電話機５において電話番号や電話帳データをユーザ毎に使い分けられるようになる。したがって、無線電話システムにおいて、無線電話端末の設置コストの削減およびサービスの向上を図ることができるようになる。
【００２３】
［個人電話帳ダウンロードサービス］
図４は第１実施形態の無線電話システムにおいて実施する個人電話帳ダウンロードサービスのプログラムを示すフローチャートであり、このプログラムは、端末登録時に起動されるものとする。まず、図４のステップＳ２１では、端末登録時のユーザ固有ＩＤに対応するパーソナルコンピュータであるＰＣ４−１の個人電話帳１１に格納されている電話帳データをダウンロードして無線ＬＡＮ電話機５の個人電話帳ダウンロードテーブル１５内に格納する。これにより、無線ＬＡＮ電話機５で当該ユーザの個人電話帳が利用可能な状態になる。次のステップＳ２２では、無線ＬＡＮ電話機５の個人電話帳ダウンロードテーブル１５内に格納した電話帳データを電話帳として使用する。その際の電話帳の使用形態としては、図１のステップＳ１の電話発信や、図２のステップＳ１２の発信者番号の表示を行うものとする。
【００２４】
本実施形態の無線電話システムによれば、上記個人電話帳ダウンロードサービスを実施することにより、無線ＬＡＮ電話機５を端末登録したユーザの個人電話帳を利用して、電話発信や発信者番号表示等を行うことができるので、無線ＬＡＮ電話機５を共通端末として使用し得るようになるとともに、無線ＬＡＮ電話機５において電話番号や電話帳データをユーザ毎に使い分けられるようになる。したがって、無線電話システムにおいて、無線電話端末の設置コストの削減およびサービスの向上を図ることができるようになる。
【００２５】
［通話録音サービス］
図５は第１実施形態の無線電話システムにおいて実施する通話録音サービスのプログラムを示すフローチャートであり、このプログラムは、電話着信時に起動されるものとする。まず、図５のステップＳ３１では、無線ＬＡＮ電話機５に通話録音指令フラグ１６が設定されているか否かをチェックする。なお、通話録音指令フラグ１６は、通話前に設定した場合には当該通話音声の全てが録音されるが、通話中に設定した場合には設定時以降の通話音声が録音されるものとし、通話録音指令フラグ１６が設定されていない場合には、処理をそのまま終了するものとする。通話録音指令フラグ１６が設定されている場合、次のステップＳ３２では、無線ＬＡＮ電話機５において通話音声の録音を開始する。そして、次のステップＳ３３では、当該通話の切断に応じて、通話録音データを、端末登録時のユーザ固有ＩＤに対応するＰＣ４−１の通話録音ファイル１２に保存する。
【００２６】
本実施形態の無線電話システムによれば、上記通話録音サービスを実施することにより、通話時の録音指令に応じて、端末登録時のユーザ固有ＩＤに対応するＰＣ４−１の通話録音ファイル１２に通話録音データが保存されるので、無線ＬＡＮ電話機５を共通端末として使用し得るようになるとともに、無線ＬＡＮ電話機５において電話番号や通話録音データをユーザ毎に使い分けられるようになる。したがって、無線電話システムにおいて、無線電話端末の設置コストの削減およびサービスの向上を図ることができるようになる。
【００２７】
［留守番録音サービス］
図６は第１実施形態の無線電話システムにおいて実施する留守番録音サービスのプログラムを示すフローチャートであり、このプログラムは、電話着信時に起動されるものとする。まず、図６のステップＳ４１では、無線ＬＡＮ電話機５に留守番録音指令フラグ１７が設定されているか否かをチェックする。留守番録音指令フラグ１７が設定されている場合、次のステップＳ４２では、無線ＬＡＮ電話機５が自動応答して、所定の留守番メッセージに対応する留守番トーキーを再生し、次のステップＳ４３では、通話相手の留守番メッセージ音声の録音を開始する。そして、次のステップＳ４４では、当該通話の切断に応じて、留守番録音データを、端末登録時のユーザ固有ＩＤに対応するＰＣ４−１の留守番録音ファイル１３に保存する。
【００２８】
本実施形態の無線電話システムによれば、上記留守番録音サービスを実施することにより、留守番電話設定中の無線ＬＡＮ電話機５への着信時には、端末登録時のユーザ固有ＩＤに対応するＰＣ４−１の留守番録音ファイル１３に留守番録音データが保存されるので、無線ＬＡＮ電話機５を共通端末として使用し得るようになるとともに、無線ＬＡＮ電話機５において電話番号や留守番録音データをユーザ毎に使い分けられるようになる。したがって、無線電話システムにおいて、無線電話端末の設置コストの削減およびサービスの向上を図ることができるようになる。
【図面の簡単な説明】
【００２９】
【図１】本発明の第１実施形態の無線電話システムの構成を示す図である。
【図２】第１実施形態の無線電話システムにおいて実施する第１の個人電話帳参照サービスのプログラムを示すフローチャートである。
【図３】第１実施形態の無線電話システムにおいて実施する第２の個人電話帳参照サービスのプログラムを示すフローチャートである。
【図４】第１実施形態の無線電話システムにおいて実施する個人電話帳ダウンロードサービスのプログラムを示すフローチャートである。
【図５】第１実施形態の無線電話システムにおいて実施する通話録音サービスのプログラムを示すフローチャートである。
【図６】第１実施形態の無線電話システムにおいて実施する留守番録音サービスのプログラムを示すフローチャートである。
【符号の説明】
【００３０】
１  ＩＰ構内交換機（ＩＰ−ＰＢＸ）
２  ＬＡＮ
３  アクセスポイント
４（４−１，４−２，・・，４−ｎ）  パーソナルコンピュータ（ＰＣ）
５  無線ＬＡＮ電話機
６  相手端末
１１  個人電話帳
１２  通話録音ファイル
１３  留守番録音ファイル
１４  個人電話帳テーブル
１５  個人電話帳ダウンロードテーブル
１６  通話録音指令フラグ
１７  留守番録音指令フラグ
【図１】
2006060480.tif 000003
【図２】
2006060480.tif 000004
【図３】
2006060480.tif 000005
【図４】
2006060480.tif 000006
【図５】
2006060480.tif 000007
【図６】
2006060480.tif 000008